(57)【要約】      （修正有）【課題】納骨を容易にするための墓石内部空間入り口の閉塞石スライド移動構造を提供する。【解決手段】墓石に設けられた納骨構造における納骨入り口空間を閉塞する石材の移動において、静止固定側石材と閉塞する石材に対し、固定側スライドレール１１と可動側スライドレール１２とが互いにスライド可能となって一組となっているスライドレール１０を用いて、静止固定側石材に固定側スライドレールを螺着固定し、閉塞する石材５に可動側スライドレールを螺着固定することにより、閉塞する石材の移動を容易にした。静止固定側石材と閉塞石材との間に双方石材間の固定および固定解除手段を設けるのが好ましい。【選択図】図２
0003221113.tif 000002
【実用新案登録請求の範囲】
【請求項１】
墓石に設けられた納骨構造における納骨入り口空間を閉塞する石材の移動において、静止固定側石材と該閉塞する石材をスライドレールにて関連づけることにより、閉塞石材の移動を容易ならしめたことを特徴とする墓石におけるスライド移動型納骨構造。
【請求項２】
静止固定側石材と閉塞石材との固定及び固定解除の手段を設けてなる請求項１記載の墓石におけるスライド移動型納骨構造。
【請求項３】
固定および固定解除手段を螺合としてなる請求項２記載の墓石におけるスライド移動型納骨構造。
【考案の詳細な説明】
【技術分野】
【０００１】  この考案は、墓石内納骨を容易に行うためのスライド移動型の納骨構造に関する。
【背景技術】
【０００２】  従来より、墓石には納骨のための空間が設けられ、この空間を塞ぐための石材を用いているが、この石材を容易に移動させるための手段は見当たらない。
【考案の概要】
【考案が解決しようとする課題】
【０００３】  従来の墓石における納骨作業は、重量物である閉塞している石材を移動しなければならず、石材の種類やサイズおよび形状によっては成人男性でも困難な場合がある。
また、作業時における石材の損傷やケガ等も懸念され、かつ移動した石材を置く場所も選ばねばならない。しかし、このような問題に対処するための有力な手段が見当たらないのが現状である。
本案は以上に鑑み、石材のスライド移動方式を採用することにより、だれでも安全かつ容易にこの石材の移動を行うことのできる、新規かつ有用なる手段を提供することを目的として発案されたものである。
【課題を解決するための手段】
【０００４】  課題を解決する手段として本案は以下の構成とした。
すなわち、本案の一つは、墓石に設けられた納骨構造における納骨入り口空間を閉塞する石材の移動において、静止固定側石材と該閉塞石する材をスライドレールにて関連づけることにより、閉塞石材の移動を容易ならしめたことを特徴とする墓石におけるスライド移動型納骨構造である。
また、本案の他の一つは、静止固定側石材と閉塞する石材との固定及び固定解除の手段を設けてなる請求項１記載の墓石におけるスライド移動型納骨構造である。
さらに本案の他の一つは、固定および固定解除手段を螺合としてなる請求項２記載の墓石におけるスライド移動型納骨構造である。
【考案の効果】
【０００５】  本案によれば、納骨入り口を閉塞する石材のスライドレールによる可動手段を設けたので、従来のような人力による重量石材の移動に比べ、はるかに小労力での閉塞石材移動が可能となって、より利便性のある墓石における納骨構造を得ることができる。
また、閉塞石材を固定部と可動部とから構成し、この固定部への可動部の選択的固定手段を設けることにより、納骨状態の保全を行うことのできる有用なる構造を得ることができる。
【図面の簡単な説明】
【０００６】
【図１】本考案の第１実施形態の全体斜視図（閉塞時）
【図２】本考案の第１実施形態の全体斜視図（非閉塞時）
【図３】本考案の第１実施形態の要部構造説明図
【図４】本考案の第１実施形態の要部構造説明図
【図５】本考案の第２実施形態の要部斜視図（閉塞時）
【図６】本考案の第２実施形態の要部斜視図（非閉塞時）
【図７】本考案の第２実施形態の要部構造説明図（一部断面左側面視）
【図８】本考案の第２実施形態の要部構造説明図（正面視）
【図９】本考案他例における斜視図（カロート閉塞時）
【図１０】本考案他例における斜視図（カロート開放時）
【図１１】カロート蓋の斜視図
【図１２】本案他例の全体構造説明図
【図１３】添板の斜視図
【図１４】天板裏面を示す斜視図
【図１５】ガイド石の斜視図（天板非装着時）
【図１６】ガイド石の斜視図（天板装着時）
【考案を実施するための形態】
【０００７】  以下、本考案の実施形態について説明する。
図１〜図４は、本案の第１実施形態を示すものである。
図において、１は芝台、２は中台、３は上台、４は竿石であり、上下に重なり固定されて位置している。敷石と芝台には連続する内部空間が形成されて、この空間を利用して墓石内への納骨が成される。５は切り出し水鉢で、本例では中央に位置する所定サイズの直方体形状の石材の両側に、花立て６を設け、側方に水抜き孔７を穿設した構成としており、これが閉塞石材として作用する。
従来方式は芝台に設けた空間の入り口をこの切り出し水鉢の載置にて閉塞しており、納骨のためには、人力にてこの切り出し水鉢を持ち上げて移動し、作業後は再び切り出し水鉢を元の位置に戻して載置する作業が必須となっていた。
【０００８】  これに対し本案は、この切り出し水鉢のスライド移動方式を用いており、以下に示す構成である。
前記の芝台の前面には納骨のための四角形の入り口を有し、内部空間８へとつながり、この空間内側面は左右平行となっており、この両サイド内側面には金属製スライドレール１０が取り付けられる。このスライドレールは、固定側スライドレール１１とこの固定側に沿って所定範囲内にて平行スライド移動が可能な可動側スライドレール１２とが一対にまとまった構成で、本案では芝台の内部空間側面に固定側が、切り出し水鉢に可動側が所定部材を介して取り付けられる。
この固定部材は図３にて示すように、金属平板内方にコ字形板を固着もしくは折曲にて設け、その前方に水平な張り出し平板１４が一体に設けられ、この固定部材は可動側スライドレールに取り付けられ、該張り出し平板上に前記の切り出し水鉢が載置固定されて位置する。
【０００９】  以上の構成から、図１に示す切り出し水鉢の両外側をはさんで前方へ押圧することにて、図２にて示すように、この切り出し水鉢はスライドレールの機能によって容易に前方へ移動させることができる。この移動にて芝台の前面入り口は露出して、ここから納骨作業を行うことができる。作業後は既述と逆の手順にて、初期状態へと戻すことができる。
また、切り出し水鉢の下面と敷石上面とには若干の空隙を設けており、該水鉢移動時における不要な摩擦を回避している。
【００１０】  図５〜図８は、本案の第２実施形態を示すものである。
図において、２０は敷石、２１は芝台、２２は竿石である。敷石と芝台には内部空間が形成され、可動石のスライド移動にて、図６のごとくこの空間が露出し、ここから納骨作業を行うことができる。以下、要部構造について説明する。
可動石２３は、直方体形状の石材であって、芝石に設けた内部空間４０に出入り可能なサイズと形状である。この可動石の両側近傍下部には、四角状の切除部２４が形成される。
２５は四角柱状のガイド石で、そのサイズは上記切除部内に納まるよう設けられ、このガイド石は左右一対が敷石上に固定されて位置する。
２６は固定石で、図５のごとく敷石上面に固着される平板状石材である。
以上の可動石とガイド石とはスライドレール２７により関係づけられる。
すなわち、図８のようにガイド石側面には固定側スライドレール２８が、可動石内側面には可動側スライドレール２９が各々取り付けられる。
この取付に際しては、図のごとくガイド石には金属板による固定側ガイドレール取付板３０が、可動石には可動側ガイドレール取付板３１が各々取り付けられ、これらの板に各ガイドレールが固定されて位置する。
【００１１】  次に、可動石の位置固定手段について説明する。
図において、３２は可動石前面中央に貫通して設けられる雌ネジ、３３は該雌ネジに螺合して前方突出にて位置するボルト、３４は固定石中央に穿設される挿通孔、３５はナット３６を内部に設けたつまみである。以上の構成から、可動石を前方移動して固定石に当接させたとき、ボルト端は固定石の挿通孔よりやや突出し、この突出した雄ネジ部分につまみのナット部分が螺合して、可動石は固定石に固定される。
本例における納骨作業は、まず、つまみを回して可動石の固定を解除する。
次に、可動石をつかんで後方移動への力を与えると、既述のスライドレール利用機構にてこの可動石は芝台空間内へと容易に移動し、可動石は非突出状態となり、敷石に設けた空間が露出するので、ここから納骨することができ、収納庫として使用することも可能である。
作業後は既述と逆の手順にて初期状態へと戻すことができる。なお、可動石の芝台への収納状態においても、前述のボルトの雄ネジ部分が突出しているので、これをつまんで前方へと移動させることができる。なお、可動石の最後方位置は、スライドレールのストッパーにて決定される。
【００１２】  図９〜図１６は、本案の第３実施形態を示すものである。
前例は可動石２３を上台内方へ押し込む方式であったが、本例は天板を前方移動させて納骨する方式である。図において、５０は上台、５１はガイド石で、平面視略コ字形であって，その両側上部には段部５２が形成される。また、該ガイド石中央には納骨のための角穴５３が形成される。５４は金属板による添板で、その両側を直角に下方折曲し、またこの添板にはコ字形の枠部５５が一体に設けられる。この枠部はガイド石に螺着固定されるとともに、枠部側面にはスライドレール固定側５６が螺着され、前記の段部上方にはスライドレール移動側５７が螺着され、この双方のスライドレールは可動側と固定側が組み合わされて所定範囲内にて相互スライドが可能である。
６０は石材による天板で、その前面には装飾部６１が設けられ、その正面視中央には貫通孔６２が穿設される。また、前記ガイド石の正面中央には所定長の雄ネジ６３が突設される。天板は前記添板上に載置固定される。従って、添板はスライドレールを介して所定範囲内にて水平移動が可能である。６４は固定つまみで、略短円柱形の石製物品であって、その内部には所定深さの雌ネジが刻設される。この雄ネジと雌ネジは、天板の移動と固定を選択的に行うためのものであって、図７の第２例に用いた方式と同様である。
以上から、図９および図１０にて示すように、天板の前方移動にて納骨空間が露出し、天板の後方移動にてこの空間は閉塞される。なお、６５は２個の孔を有するカロート蓋で、納骨入り口に載置される。この蓋の孔を利用して持ち上げ移動ができるとともに内部の通気孔の役割も行って結露を軽減する。
しかし、このままでは、地面の傾きや地震等による天板の自然移動の可能性があるため、これを阻止する手段として、前記の雄ネジと雌ネジの螺合方式を用いている。
従い、第２例では可動石の後方移動にて納骨空間が現れるが、本例では天板の前方移動にてこの空間が現れるという違いがあるが、機能的には双方とも同様である。
【００１３】  以上、本案について記したが、本案は墓石納骨入り口を閉塞する石材のスライド移動構造を設けたところにその特徴を有するものである。
従来は既述のように、重量物である閉塞石材を持ち上げて移動する手段のため、種々の難点を有しているものであったが、本案ではスライドレールによる水平移動となるために、従来法に比べて格段の労力低減と安全性を得ることができる。
また、従来法では閉塞のための石材は、単なる載置方式のために、地震等による石材の倒れの恐れがあったが、本案ではこの石材はスライドレールを介して墓石に関連づけられているので、このような問題はない。
実施形態の第２においては、可動石を螺合にて固定石へ固定する方式を用いており、人為的作業によってのみ可動石の可動が可能となるので、墓石内部空間の保全ができる。
なお、この実施形態において、可動石の固定は螺合方式を用いたが、他の固定手段、例えば押圧嵌合やフック金具など他方式を用いてもよい。
本案は、墓石構造に合わせて、適宜にサイズその他を変更して適合させることができる。
以上のごとく、本案によって利便性に富む墓石納骨構造を得ることができる。
【符号の説明】
【００１４】  １  芝台
２  中台
３  上台
４  竿石
５  切り出し水鉢
６  花立て
７  水抜き孔
８  内部空間
１０  スライドレール
１１  固定側スライドレール
１２  可動側スライドレール
１３  固定部材
１４  張り出し平板
２０  敷石
２１  芝台
２２  竿石
２３  可動石
２４  切除部
２５  ガイド石
２６  固定石
２７  スライドレール
２８  固定側スライドレール
２９  可動側スライドレール
３０  固定側ガイドレール取付板
３１  可動側スライドレール取付板
３２  雌ネジ
３３  ボルト
３４  挿通孔
３５  つまみ
３６  ナット
４０  内部空間
５０  上台
５１  ガイド石
５２  段部
５３  角穴
５４  添板
５５  枠部
５６  スライドレール固定側
５７  スライドレール移動側
６０  天板
６１  装飾部
６２  貫通孔
６３  雄ネジ
６４  固定つまみ
６５  カロート蓋
【図１】
0003221113.tif 000003
【図２】
0003221113.tif 000004
【図３】
0003221113.tif 000005
【図４】
0003221113.tif 000006
【図５】
0003221113.tif 000007
【図６】
0003221113.tif 000008
【図７】
0003221113.tif 000009
【図８】
0003221113.tif 000010
【図９】
0003221113.tif 000011
【図１０】
0003221113.tif 000012
【図１１】
0003221113.tif 000013
【図１２】
0003221113.tif 000014
【図１３】
0003221113.tif 000015
【図１４】
0003221113.tif 000016
【図１５】
0003221113.tif 000017
【図１６】
0003221113.tif 000018
【手続補正書】
【提出日】平成31年2月14日(2019.2.14)
【手続補正１】
【補正対象書類名】実用新案登録請求の範囲
【補正対象項目名】全文
【補正方法】変更
【補正の内容】
【実用新案登録請求の範囲】
【請求項１】
墓石に設けられた納骨構造における納骨入り口空間を閉塞する石材の移動において、静止固定側石材と閉塞する石材に対し、固定側スライドレールと可動側スライドレールとが互いにスライド可能となって一組となっているスライドレールを用いて、静止固定側石材に固定側スライドレールを螺着固定し、閉塞する石材に可動側スライドレールを螺着固定することにより、閉塞する石材の移動を容易ならしめたことを特徴とする墓石におけるスライド移動型納骨構造。
【請求項２】
静止固定側石材と閉塞石材との間に該双方石材間の固定および固定解除手段を設けるとともに該手段において、静止固定側石材もしくは閉塞石材に雄ネジを突設し、この雄ネジに対応する閉塞石材もしくは静止固定側石材に対し、該雄ネジが挿通突出可能なる挿通孔を穿設し、該挿通孔から突出したこの雄ネジに螺合するつまみを設けて、この突出雄ネジに対する該つまみの着脱にて上記固定および固定解除手段の選択を可能としてなる請求項１記載の墓石におけるスライド移動型納骨構造。